(57)【要約】【課題】ノンフロン冷媒の使用が可能で、室内機の設置場所の限定がなく、据付性がよい空気調和機を提供する。【解決手段】本空気調和機は、室内機側配管１４と室外機側配管１５とを接続する接続配管４を第１接続配管１６ａと第２接続配管１６ｂとで構成し、第２接続配管１６ｂと室外機側配管１５とをそれぞれ接続手段を用いて接続し、室内機側接続配管１５と第１接続配管１６ａとの接続部１７が屋内に存在し、かつ再脱着が不可能な接続構造をなすと共に、第１接続配管１６ａと第２接続配管１６ｂ、第２接続配管１６ｂと室外機側接続配管１５との接続部１８、１９が屋外に存在し、かつ再脱着が可能な接続構造をなす。【選択図】  図１
2007093084.tif 000002
【特許請求の範囲】
【請求項１】
屋外側に設置される室外機と、屋内側に設置される室内機と、この室内機と前記室外機とを接続する接続用配管を備えた空気調和機において、前記接続用配管を前記室内機から延びる室内機側配管と、前記室外機から延びる室外機側配管と、前記室内機側配管と前記室外機側配管とを接続する接続配管とで構成すると共に、この接続配管を第１接続配管と第２接続配管とで構成し、前記室内機側配管と前記第１接続配管、前記第１接続配管と前記第２接続配管、前記第２接続配管と前記室外機側配管とをそれぞれ接続手段を用いて接続し、前記室内機側接続配管と前記第１接続配管との接続部が屋内に存在し、かつ再脱着が不可能な接続構造をなすと共に、前記第１接続配管と前記第２接続配管、前記第２接続配管と前記室外機側接続配管の接続部が屋外に存在し、かつ再脱着が可能な接続構造をなすことを特徴とする空気調和機。
【請求項２】
前記室内機側配管、前記第１接続配管、前記第２接続配管及び前記室外機側配管が異なる管径の組み合せで構成されたことを特徴とする請求項１に記載の空気調和機。
【請求項３】
前記空気調和機の冷媒に可燃性冷媒あるいは高圧冷媒を使用することを特徴とする請求項１または２に記載の空気調和機。
【発明の詳細な説明】
【技術分野】
【０００１】
本発明は空気調和機に係り、特に冷媒配管構造を改良した空気調和機に関する。
【背景技術】
【０００２】
室内機及び室外機を備えた空気調和機において、炭化水素系冷媒や二酸化炭素等の自然冷媒の使用が検討されているが、フロン冷媒に比べて、高圧であったり、可燃性であるため、室内に冷媒が漏洩するのを防止する必要がある。そのため、空気調和機の配管構造は室内機側配管、接続配管および室外機側配管とで構成されているが、室内機側配管を延長して、屋外側で室内機側配管と接続配管とをフレア継手で接続し、屋内における継手部からの冷媒漏洩の防止を図っている（特許文献１）。
【０００３】
しかしながら、このような配管構造では、室内機の設置場所が室内機側配管の配管長に起因して限定される可能性があり、また室内機側配管が長いため、配管の取り回しが悪＜、据付性が悪い問題がある。
【特許文献１】特開平９−２８０５８９号公報
【発明の開示】
【発明が解決しようとする課題】
【０００４】
本発明は上述した事情を考慮してなされたもので、炭化水素系冷媒や二酸化炭素等の自然冷媒の使用が可能で、室内機の設置場所の限定がなく、据付性がよい空気調和機を提供することを目的とする。
【課題を解決するための手段】
【０００５】
上述した目的を達成するため、本発明に係る空気調和機は、屋外側に設置される室外機と、屋内側に設置される室内機と、この室内機と前記室外機とを接続する接続用配管を備えた空気調和機において、前記接続用配管を前記室内機から延びる室内機側配管と、前記室外機から延びる室外機側配管と、前記室内機側配管と前記室外機側配管とを接続する接続配管とで構成すると共に、この接続配管を第１接続配管と第２接続配管とで構成し、前記室内機側配管と前記第１接続配管と、前記第１接続配管と前記第２接続配管と、前記第２接続配管と前記室外機側配管とをそれぞれ接続手段を用いて接続し、前記室内機側接続配管と前記第１接続配管との接続部が屋内に存在し、かつ再脱着が不可能な接続構造をなすと共に、前記第１接続配管と前記第２接続配管、前記第２接続配管と前記室外機側接続配管の接続部が屋外に存在し、かつ再脱着が可能な接続構造をなすことを特徴とする。
【発明の効果】
【０００６】
本発明に係る空気調和機によれば、炭化水素系冷媒や二酸化炭素等の自然冷媒の使用が可能で、室内機の設置場所の限定がなく、据付性がよい空気調和機を提供することができる。
【発明を実施するための最良の形態】
【０００７】
以下、本発明に係る空気調和機の一実施形態について添付図面を参照して説明する。
【０００８】
図１は本発明の一実施形態の空気調和機の概念図、図２はその冷凍サイクル図である。
【０００９】
図１及び図２に示すように、本発明に係る空気調和機１は、屋内外を隔てる壁部２０の屋内側に配置された室内機２と屋外側に配置された室外機３に分離され、これら室内機２、室外機３が接続配管４によって接続された分離型であり、冷凍サイクル５を具備している。この冷凍サイクル５は、室内機２に収容されかつ、横流ファン６を備え、冷房運転時には蒸発器、暖房運転時には凝縮器として作用する室内熱交換器７、室外機３に収容され、冷暖房運転時の冷媒の流れを切り換える四方弁８、冷媒ガスを圧縮する圧縮機９、プロペラファン１０を備え、冷房運転時には凝縮器、暖房運転時には蒸発器として作用する室外熱交換器１１、キャピラリチューブ１２、電磁制御弁１３を順次接続して形成されている。なお、図中点線矢印は暖房時、実線矢印は冷房運転時の冷媒の流れを示す。
【００１０】
さらに、接続用配管４は室内機２側に接続された室内機側配管１４と、室外機２側に接続された室外機側配管１５と、両配管１４、１５を接続する接続配管１６によって構成される。
【００１１】
さらに、接続配管１６は室内機側配管１４側に接続され冷媒の往復路を形成する２本の第１接続配管１６ａ、室外機側配管１５に接続され冷媒の往復路を形成する２本の第２接続配管１６ｂから構成される。
【００１２】
ここで、室内機側配管１４と第１接続配管１６ａを接続する第１接続部１７は、屋内に配置され、この第１接続部１７において、例えばロックリングやロウ付け、溶接、接着など再脱着が不可能な接続手段により接続される。一方、第１接続配管１６ａと第２接続配管１６ｂを接続する第２接続部１８及び、第２接続配管１６ｂと室外機側接続配管１５を接続する第３接続部１９は、それぞれ屋外に配置され、これら第２接続部１８及び第３接続部１９において、例えばフレア継手のような再脱着が可能な接続手段で接続される。
【００１３】
従って、空気調和機１の新規据付の場合、予め室内機側配管１４と第１接続配管１６ａを室内に位置させ、再脱着が不可能な第１接続部１７により接続し、しかる後、再脱着が可能な第２接続部１８及び第３接続部１９を室外に位置させて、第１接続配管１６ａと第２接続配管１６ｂ、第２接続配管１６ｂと室外機側接続配管１５を接続する。また、空気調和機１の撤去時は、第１接続部１７での取り外しは行わず、第２接続部１８及び第３接続部１９で、第１接続配管１６ａと第２接続配管１６ｂの取り外しを行う。これにより、再据付時は第１接続部１７において、接続は行わず、第２接続部１８及び第３接続部１９での接続を行う。空気調和機の使用時、脱着が行われる第２接続部１８及び第３接続部１９から、万一冷媒が漏洩しても、室内に流出することがなく安全である。さらに、新規据付の場合には、第１接続配管１６ａにより、室内機側配管１４と第１接続配管１６ａを接続するため、室内機側配管１４を短くすることが可能であるため、配管の取り回しが良好で、据付が比較的容易となる。
【００１４】
また、室内機側配管１４、第１接続配管１６ａ、第２接続配管１６ｂ及び室外機側配管１５が異なる管径の組み合せで構成するのが好ましい。例えば、液側配管を室外機側配管１５、第２接続配管１６ｂ、第１接続配管１６ａ、室内機側配管１４の順に順次細くなる組み合せで構成することにより、配管全体の径を細くした場合に比べて、接続配管内の圧力損失の多大な増加を回避するとともに、配管全体の径を太くした場合に比べて、接続配管内の冷媒量を低減することが可能である。これにより、接続配管内の冷媒量と、管内圧力損失をある程度調整することが可能となり、冷媒封入量の減少に伴う性能の低下を回避して、空気調和機の性能を向上させることができる。
【００１５】
また、本空気調和機には、冷媒として、フロン冷媒に比べて地球温暖化係数が低いが、可燃性を有するプロパンやイソブタンに代表される炭化水素系の可燃性冷媒あるいは、地球温暖化係数が低いが動作圧力が高いＣＯ２などを使用する。上記本接続用配管のような配管構造を用いることにより、屋内側への漏洩を回避して、プロパンやイソブタンの使用が可能となり、また、従来の配管構造では冷媒漏洩の恐れが高い室内機側配管と接続配管との継手部の気密性を向上させることができ、屋内側への冷媒漏洩を回避して、ＣＯ２の使用が可能となる。
【００１６】
上記本実施形態の空気調和機によれば、室内機側配管と第１接続配管を接続する第１接続部は再脱着が不可能な接続手段により接続されているので、この第１接続部における脱着はなく、空気調和機の移設に伴う室内機側配管と接続配管との再脱着による接続管継手部の劣化に起因する屋内側での冷媒漏洩を防止することが可能であり、かつ、第１接続配管と第２接続配管とを両配管の第２接続部から分離することにより、空気調和機の移設が比較的容易となる。
【００１７】
また新規設置時には、室内機側配管と第１接続管を接続する第１接続部を屋内に配置することにより、室内機側配管を短くすることが可能であるため、配管の取回しが良好で、据付が比較的容易となる。
【図面の簡単な説明】
【００１８】
【図１】本発明の一実施形態の空気調和機の概念図。
【図２】本発明の一実施形態の空気調和機の冷凍サイクル図。
【符号の説明】
【００１９】
１…空気調和機、２…室内機、３…室外機、４…接続配管、５…冷凍サイクル、７…室内熱交換器、９…圧縮機、１１…室外熱交換器、１４…室内機側配管、１５…室外機側配管、１６…接続配管、１６ａ…第１接続配管、１６ｂ…第２接続配管、１７…第１接続部、１８…第２接続部、１９…第３接続部、２０…壁部。
【図１】
2007093084.tif 000003
【図２】
2007093084.tif 000004